【手続補正書】
【提出日】平成16年8月27日(2004.8.27)
【手続補正１】
【補正対象書類名】明細書
【補正対象項目名】発明の名称
【補正方法】変更
【補正の内容】
【発明の名称】画像処理方法、画像処理装置、放射線画像処理装置、画像処理システム及びプログラム
【手続補正２】
【補正対象書類名】明細書
【補正対象項目名】特許請求の範囲
【補正方法】変更
【補正の内容】
【特許請求の範囲】
【請求項１】
複数の撮像素子を有する撮影装置で放射線撮影された画像データを処理する画像処理方法であって、
前記撮像素子の欠陥素子の位置を基準として前記画像データ中から複数の画素を選択する選択工程と、
該選択した画素に対応する画素値を用いて前記欠陥素子に対応する画素の画素値を線形予測式に基づき算出する算出工程と、
前記欠陥素子に対応する画素の画素値を前記算出した画素値とする補正工程とを有することを特徴とする画像処理方法。
【請求項２】
前記画像データは被写体からの散乱放射線を除去するためのグリッドを使用して得られた画像データであり、
前記選択工程は前記欠陥素子に対応する画素を基準として、前記グリッドのグリッド縞に直交する方向から前記複数の画素を選択することを特徴とする請求項１記載の画像処理方法。
【請求項３】
前記補正工程で補正された画像データから前記グリッドの画像成分を除去する除去工程を有することを特徴とする請求項１に記載の画像処理方法。
【請求項４】
被写体からの散乱放射線を除去するためのグリッドを使用した放射線撮影により得られた画像データを処理する画像処理方法であって、
前記画像データから前記グリッドの画像成分を除去する除去工程と、
前記撮像素子の欠陥素子に対応する画素値を、前記画像成分が除去された画像データにおける、該欠陥画素に隣接する画素に対応する画素値に基づいて算出された値に置換する補正工程とを有することを特徴とする画像処理方法。
【請求項５】
前記除去工程は、
前記グリッドの空間周波数に基づいて前記画像成分を前記画像から分離する分離工程と、
前記分離した画像成分の振幅を計算する振幅算出工程と、
前記振幅の値に基づいて前記画像成分の値を変更する加工工程とを有し、
該加工工程により得た画像成分を前記画像データから除去することを特徴とする請求項３又は４に記載の画像処理方法。
【請求項６】
前記除去工程は前記画像データから放射線照射野に対応する部分画像データを切り出す切出工程を有し、
前記分離工程は該切出工程により得た前記部分画像データの画像成分を分離することを特徴とする請求項５に記載の画像処理方法。
【請求項７】
前記分離工程は前記空間周波数を有する成分を前記画像データから抽出するフィルタリングを行うことを特徴とする請求項５記載の画像処理方法。
【請求項８】
被写体から散乱放射線を除去するためのグリッドが放射線撮影装置に装着されているか否かを検知する検知手段を有し、
前記グリッドが装着されている場合に、前記画像処理方法を実行することを特徴とする請求項１乃至７のいずれか一項に記載の画像処理装置。
【請求項９】
被写体からの散乱放射線を除去するためのグリッドを使用した放射線撮影により得られた画像データを処理するためにコンピュータを、
前記画像データを撮像するための撮像素子の欠陥素子に対応する画素値に対して、該欠陥画素の位置を基準として複数の画素を選択する選択手段と、該選択した画素に対応する画素値を用いて前記欠陥素子に対応する画素の画素値を線形予測式に基づき算出する算出手段と、
前記欠陥素子に対応する画素の画素値を前記算出した画素値とする補正手段として機能させるためのプログラム。
【請求項１０】
被写体からの散乱放射線を除去するためのグリッドを使用した放射線撮影により得られた画像データを処理するためにコンピュータを、
前記画像データから前記グリッドの画像成分を除去する除去手段と、
前記画像データを撮像するための撮像素子の欠陥素子に対応する画素値を、前記画像成分が除去された画像データにおける、該欠陥画素に隣接する画素に対応する画素値に基づいて算出された値に置換する補正手段として機能させるためのプログラム。
【請求項１１】
放射線を被写体に照射するＸ線発生回路と、
前記被写体を透過した前記放射線から散乱放射線を除去するためのグリッドと、
前記グリッドを透過した放射線を電気信号に変換する複数の撮像素子で構成されるＸ線センサと、
前記電気信号を画像データに変換するＡ／Ｄ変換器と、
前記撮像素子の欠陥素子に対応する画素値に対して、該欠陥画素の位置を基準として複数の画素を選択する選択手段と、該選択した画素に対応する画素値を用いて前記欠陥素子に対応する画素の画素値を線形予測式に基づき算出する算出手段と、
前記欠陥素子に対応する画素の画素値を前記算出した画素値とする補正手段とを備えることを特徴とする放射線画像処理装置。
【請求項１２】
放射線を被写体に照射するＸ線発生回路と、
前記被写体を透過した前記放射線から散乱放射線を除去するためのグリッドと、
前記グリッドを透過した放射線を電気信号に変換する複数の撮像素子で構成されるＸ線センサと、
前記電気信号を画像データに変換するＡ／Ｄ変換器と、
前記画像データから前記グリッドの画像成分を除去する除去手段と、
前記撮像素子の欠陥素子に対応する画素値を、前記画像成分が除去された画像データにおける該欠陥素子に隣接する撮像素子に対応する画素値に基づいて算出された値に置換する補正手段とを備えることを特徴とする放射線画像処理装置。
【請求項１３】
複数の機器が互いに通信可能に接続されている画像処理システムであって、
前記複数の機器のうち少なくとも１つの機器は、請求項１〜７の何れか一項に記載の画像処理方法の機能を備えることを特徴とする画像処理システム。
【手続補正３】
【補正対象書類名】明細書
【補正対象項目名】０００１
【補正方法】変更
【補正の内容】
【０００１】
【発明の属する技術分野】
本発明は、例えば、散乱放射線を除去するためのグリッドを使用した放射線撮影により被写体の放射線画像を取得する装置或いはシステムに用いられる、画像処理方法、画像処理装置、放射線画像処理装置、画像処理システム及びプログラムに関するものである。
【手続補正４】
【補正対象書類名】明細書
【補正対象項目名】００１６
【補正方法】変更
【補正の内容】
【００１６】
そこで、本発明は、上記の欠点を除去するために成されたもので、放射線画像に対して適切な画素欠陥補正を施すことのできる画像処理方法、画像処理装置、放射線画像処理装置、画像処理システム及びプログラムを提供することを目的とする。
【手続補正５】
【補正対象書類名】明細書
【補正対象項目名】００１７
【補正方法】変更
【補正の内容】
【００１７】
【課題を解決するための手段】
本発明の画像処理方法の第１の態様は、複数の撮像素子を有する撮影装置で放射線撮影された画像データを処理する画像処理方法であって、前記撮像素子の欠陥素子の位置を基準として前記画像データ中から複数の画素を選択する選択工程と、該選択した画素に対応する画素値を用いて前記欠陥素子に対応する画素の画素値を線形予測式に基づき算出する算出工程と、前記欠陥素子に対応する画素の画素値を前記算出した画素値とする補正工程とを有することを特徴とする。
【手続補正６】
【補正対象書類名】明細書
【補正対象項目名】００１８
【補正方法】変更
【補正の内容】
【００１８】
本発明の画像処理方法の第２の態様は、被写体からの散乱放射線を除去するためのグリッドを使用した放射線撮影により得られた画像データを処理する画像処理方法であって、前記画像データから前記グリッドの画像成分を除去する除去工程と、前記撮像素子の欠陥素子に対応する画素値を、前記画像成分が除去された画像データにおける、該欠陥画素に隣接する画素に対応する画素値に基づいて算出された値に置換する補正工程とを有することを特徴とする。
【手続補正７】
【補正対象書類名】明細書
【補正対象項目名】００１９
【補正方法】変更
【補正の内容】
【００１９】
本発明の画像処理装置は、被写体から散乱放射線を除去するためのグリッドが放射線撮影装置に装着されているか否かを検知する検知手段を有し、前記グリッドが装着されている場合に、前記画像処理方法を実行することを特徴とする。
【手続補正８】
【補正対象書類名】明細書
【補正対象項目名】００２０
【補正方法】変更
【補正の内容】
【００２０】
本発明のプログラムの第１の態様は、被写体からの散乱放射線を除去するためのグリッドを使用した放射線撮影により得られた画像データを処理するためにコンピュータを、前記画像データを撮像するための撮像素子の欠陥素子に対応する画素値に対して、該欠陥画素の位置を基準として複数の画素を選択する選択手段と、該選択した画素に対応する画素値を用いて前記欠陥素子に対応する画素の画素値を線形予測式に基づき算出する算出手段と、前記欠陥素子に対応する画素の画素値を前記算出した画素値とする補正手段として機能させることを特徴とする。
【手続補正９】
【補正対象書類名】明細書
【補正対象項目名】００２１
【補正方法】変更
【補正の内容】
【００２１】
本発明のプログラムの第２の態様は、被写体からの散乱放射線を除去するためのグリッドを使用した放射線撮影により得られた画像データを処理するためにコンピュータを、前記画像データから前記グリッドの画像成分を除去する除去手段と、前記画像データを撮像するための撮像素子の欠陥素子に対応する画素値を、前記画像成分が除去された画像データにおける、該欠陥画素に隣接する画素に対応する画素値に基づいて算出された値に置換する補正手段として機能させることを特徴とする。
【手続補正１０】
【補正対象書類名】明細書
【補正対象項目名】００２２
【補正方法】変更
【補正の内容】
【００２２】
本発明の放射線画像処理装置の第１の態様は、放射線を被写体に照射するＸ線発生回路と、前記被写体を透過した前記放射線から散乱放射線を除去するためのグリッドと、前記グリッドを透過した放射線を電気信号に変換する複数の撮像素子で構成されるＸ線センサと、前記電気信号を画像データに変換するＡ／Ｄ変換器と、前記撮像素子の欠陥素子に対応する画素値に対して、該欠陥画素の位置を基準として複数の画素を選択する選択手段と、該選択した画素に対応する画素値を用いて前記欠陥素子に対応する画素の画素値を線形予測式に基づき算出する算出手段と、前記欠陥素子に対応する画素の画素値を前記算出した画素値とする補正手段とを備えることを特徴とする。
【手続補正１１】
【補正対象書類名】明細書
【補正対象項目名】００２３
【補正方法】変更
【補正の内容】
【００２３】
本発明の放射線画像処理装置の第２の態様は、放射線を被写体に照射するＸ線発生回路と、前記被写体を透過した前記放射線から散乱放射線を除去するためのグリッドと、前記グリッドを透過した放射線を電気信号に変換する複数の撮像素子で構成されるＸ線センサと、前記電気信号を画像データに変換するＡ／Ｄ変換器と、前記画像データから前記グリッドの画像成分を除去する除去手段と、前記撮像素子の欠陥素子に対応する画素値を、前記画像成分が除去された画像データにおける該欠陥素子に隣接する撮像素子に対応する画素値に基づいて算出された値に置換する補正手段とを備えることを特徴とする。
【手続補正１２】
【補正対象書類名】明細書
【補正対象項目名】００２４
【補正方法】変更
【補正の内容】
【００２４】
本発明の画像処理システムは、複数の機器が互いに通信可能に接続されている画像処理システムであって、前記複数の機器のうち少なくとも１つの機器は、前記画像処理方法の機能を備えることを特徴とする。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】０３１１
【補正方法】変更
【補正の内容】
【０３１１】
【発明の効果】
本発明によれば、放射線画像に対して適切な画素欠陥補正を施すことが可能となる。